(57)【要約】【課題】  より簡便な作業で着脱できる肘掛台を提供する。【解決手段】  遊技機の前面に設けられるテーブル部１に取り付けられる肘掛台１０であって、前記テーブル部２に固定される取付け部材２０と、前記取付け部材２０に係合される基部３０と、前記基部３０に支持され、前方に延在するアーム部４０と、前記アーム部４０の前方に設けられたグリップ部５０に支持され、遊技者の肘が置かれる肘掛部６０とを備え、前記取付け部材２０が左右方向に延在し、かつ、下方に開放する係合溝２５を有し、前記基部３０が、前記テーブル部２側の端部において上方に向いた係合爪３２を有し、前記係合爪３２が前記係合溝２５に摺動により挿脱可能に係合される。【選択図】図１５
2015070870.tif 000002
【特許請求の範囲】
【請求項１】
遊技機の前面に設けられるテーブル部に取り付けられる肘掛台であって、
前記テーブル部に固定される取付け部材と、
前記取付け部材に係合される基部と、
前記基部に支持され、前方に延在するアーム部と、
前記アーム部の前方に設けられたグリップ部に支持され、遊技者の肘が置かれる肘掛部とを備え、
前記取付け部材が左右方向に延在し、かつ、下方に開放する係合溝を有し、
前記基部が、前記テーブル部側の端部において上方に向いた係合爪を有し、前記係合爪が前記係合溝に摺動により挿脱可能に係合されることを特徴とする肘掛台。
【請求項２】
前記係合爪が、前記係合溝の左右両側の端部が閉塞された状態において、左右方向に移動可能な可動域を有することを特徴とする請求項１に記載の肘掛台。
【請求項３】
遊技機の前面に設けられるテーブル部に取り付けられる肘掛台であって、
前記テーブル部に固定される取付け部材と、
前記取付け部材に係合される基部と、
前記基部に支持され、前方に延在するアーム部と、
前記アーム部の前方に設けられたグリップ部に支持され、遊技者の肘が置かれる肘掛部とを備え、
前記取付け部材が左右方向に延在し、かつ、下方に開放する係合溝を有し、
前記基部が、前記テーブル部側の端部において上方に向いた係合爪を有し、
前記係合爪が、前記係合溝の左右両側の端部が閉塞された状態において、左右方向に移動可能な可動域を有することを特徴とする肘掛台。
【請求項４】
前記係合爪が左右方向に複数個設けられ、
前記複数の係合爪のうち少なくとも１つが前記係合溝の中間部に設けられた切り欠きから差し込まれることを特徴とする請求項１ないし３のいずれか１項に記載の肘掛台。
【請求項５】
前記アーム部が前記基部に対して左右方向に揺動可能に支持されることを特徴とする請求項１ないし４のいずれか１項に記載の肘掛台。
【請求項６】
前記肘掛部が前記アーム部に対して前後方向に摺動可能に支持されることを特徴とする請求項１ないし５のいずれか１項に記載の肘掛台。
【請求項７】
前記肘掛部が前記アーム部に対して上下方向に移動可能に支持され、前記アーム部の前記グリップ部内に前記肘掛部を段階的に係止する機構を有し、
前記係止する機構は、
前記アーム部の前記グリップ部内に上下方向に設けられ、凹部を有する複数の溝部と、
前記肘掛部に設けられ、前記複数の溝部の前記凹部に係止される凸部を有する爪部と、
を有することを特徴とする請求項１ないし６のいずれか１項に記載の肘掛台。
【請求項８】
遊技機の前面に設けられるテーブル部に取り付けられる肘掛台であって、
前記テーブル部に固定される取付け部材と、
前記取付け部材に係合される基部と、
前記基部に支持され、前方に延在するアーム部と、
前記アーム部の前方に設けられたグリップ部に支持され、遊技者の肘が置かれる肘掛部とを備え、
前記肘掛部が前記アーム部に対して上下方向に移動可能に支持され、前記アーム部の前記グリップ部内に前記肘掛部を段階的に係止する機構を有し、
前記係止する機構は、
前記アーム部の前記グリップ部内に上下方向に設けられ、凹部を有する複数の溝部と、
前記肘掛部に設けられ、前記複数の溝部の前記凹部に係止される凸部を有する爪部と、
を有することを特徴とする肘掛台。
【発明の詳細な説明】
【技術分野】
【０００１】
本発明は肘掛台に関し、特に、パチンコ台等の遊技機用の肘掛台に関する。
【背景技術】
【０００２】
従来、パチンコ台等の遊技機用の肘掛台に関し、各種の技術が提案されている（例えば、特許文献１参照）。
【０００３】
特許文献１には、遊技機の前面に設けられたテーブル部に着脱可能に取付けられる遊技機用肘掛台であって、テーブル部の前端縁に設けられた肘掛取付け部に上下方向に回動可能に取付けられるアーム部と、このアーム部に取付けられ、遊技者が肘を置き得る肘掛部とを備える遊技機用肘掛台が開示される。
【０００４】
この遊技機用肘掛台では、アーム部を上方に向かって所定角度回動させることにより、アーム部の係合部を肘掛取付け部の係合受けから取外したり取付けたりする。このため、アーム部の着脱に際してねじ止め等を行う必要がない。
【０００５】
ところで、遊技機用肘掛台の需要が高まるなか、より簡便な作業でアーム部を着脱できる取付け技術が要望されている。
【先行技術文献】
【特許文献】
【０００６】
【特許文献１】特開２０１１−２１８０２０号公報
【発明の概要】
【発明が解決しようとする課題】
【０００７】
しかしながら、特許文献１の技術によれば、アーム部を上方に回動させた状態で、アーム部を取付けたり取外したりする必要がある。この場合、作業者側から見て、肘掛取付け部の係合受け及びアーム部の係合部がアーム部や肘掛部によって隠れあるいは見えづらいため、作業者は、係合受け及び係合部をアーム部や肘掛部の横から見ながら係合受けに係合部を係合したり取外したりする必要があり、作業が面倒であった。したがって、特許文献１の技術では、上記要望に応えることは難しく、より簡便な作業でアーム部を着脱できる新たな取付け技術が求められている。
【０００８】
本発明は、このような事情に鑑みてなされたものであり、その目的は、より簡便な作業で着脱できる肘掛台を提供することにある。
【課題を解決するための手段】
【０００９】
本発明は、以下の構成によって把握される。
（１）本発明の肘掛台は、遊技機の前面に設けられるテーブル部に取り付けられる肘掛台であって、前記テーブル部に固定される取付け部材と、前記取付け部材に係合される基部と、前記基部に支持され、前方に延在するアーム部と、前記アーム部の前方に設けられたグリップ部に支持され、遊技者の肘が置かれる肘掛部とを備え、前記取付け部材が左右方向に延在し、かつ、下方に開放する係合溝を有し、前記基部が、前記テーブル部側の端部において上方に向いた係合爪を有し、前記係合爪が前記係合溝に摺動により挿脱可能に係合されることを特徴とする。
【００１０】
（２）本発明の肘掛台は、（１）の構成において、前記係合爪が、前記係合溝の左右両側の端部が閉塞された状態において、左右方向に移動可能な可動域を有することを特徴とする。
【００１１】
（３）本発明の肘掛台は、遊技機の前面に設けられるテーブル部に取り付けられる肘掛台であって、前記テーブル部に固定される取付け部材と、前記取付け部材に係合される基部と、前記基部に支持され、前方に延在するアーム部と、前記アーム部の前方に設けられたグリップ部に支持され、遊技者の肘が置かれる肘掛部とを備え、前記取付け部材が左右方向に延在し、かつ、下方に開放する係合溝を有し、前記基部が、前記テーブル部側の端部において上方に向いた係合爪を有し、前記係合爪が、前記係合溝の左右両側の端部が閉塞された状態において、左右方向に移動可能な可動域を有することを特徴とする。
【００１２】
（４）本発明の肘掛台は、（１）ないし（３）の構成において、前記係合爪が左右方向に複数個設けられ、前記複数の係合爪のうち少なくとも１つが前記係合溝の中間部に設けられた切り欠きから差し込まれることを特徴とする。
【００１３】
（５）本発明の肘掛台は、（１）ないし（４）のいずれかの構成において、前記アーム部が前記基部に対して左右方向に揺動可能に支持されることを特徴とする。
【００１４】
（６）本発明の肘掛台は、（１）ないし（５）のいずれかの構成において、前記肘掛部が前記アーム部に対して前後方向に摺動可能に支持されることを特徴とする。
【００１５】
（７）本発明の肘掛台は、（１）ないし（６）のいずれかの構成において、前記肘掛部が前記アーム部に対して上下方向に移動可能に支持され、前記アーム部の前記グリップ部内に前記肘掛部を段階的に係止する機構を有し、前記係止する機構は、前記アーム部の前記グリップ部内に上下方向に設けられ、凹部を有する複数の溝部と、前記肘掛部に設けられ、前記複数の溝部の前記凹部に係止される凸部を有する爪部と、を有することを特徴とする。
【００１６】
（８）本発明の肘掛台は、遊技機の前面に設けられるテーブル部に取り付けられる肘掛台であって、前記テーブル部に固定される取付け部材と、前記取付け部材に係合される基部と、前記基部に支持され、前方に延在するアーム部と、前記アーム部の前方に設けられたグリップ部に支持され、遊技者の肘が置かれる肘掛部とを備え、前記肘掛部が前記アーム部に対して上下方向に移動可能に支持され、前記アーム部の前記グリップ部内に前記肘掛部を段階的に係止する機構を有し、前記係止する機構は、前記アーム部の前記グリップ部内に上下方向に設けられ、凹部を有する複数の溝部と、前記肘掛部に設けられ、前記複数の溝部の前記凹部に係止される凸部を有する爪部と、を有する。
【発明の効果】
【００１７】
本発明の肘掛台によれば、より簡便な作業で着脱できるようになる。
【図面の簡単な説明】
【００１８】
【図１】本発明の肘掛台の使用例を示す図である。
【図２】肘掛台の取付け部材の構成図で、（ａ）は右側面図、（ｂ）は正面図、（ｃ）は（ｂ）のＢ−Ｂ線における断面図である。
【図３】肘掛台の取付け部材の下面側から観た図である。
【図４】肘掛台の取付け部材の右側面図で、蓋部を上方に摺動させた図である。
【図５】本発明の肘掛台であって、取付け部材に係合されていない状態を示した図である。
【図６】本発明の肘掛台の基部とアーム部の構成を示した平面図である。
【図７】本発明の肘掛台のアームが基部に対して揺動できることを示した図である。
【図８】（ａ）は本発明の肘掛台のグリップ部内の構成を示す図、（ｂ）は（ａ）のＨの部分を拡大して示した図である。
【図９】肘掛部の上下方向の位置調整を示す図であり、肘掛部の高さ位置を中間の位置に調整した図である。
【図１０】肘掛部の上下方向の位置調整を示す図であり、内部機構のロックを解除した状態を示す図である。
【図１１】肘掛部の上下方向の位置調整を示す図であり、肘掛部の高さ位置を最も低い位置に調整した図である。
【図１２】（ａ）は本発明の肘掛台を下方から観た図で、（ｂ）は（ａ）のＫ−Ｋ線における断面図である。
【図１３】肘掛台がアームに対して前後方向に摺動し得ることを示した上面図である。
【図１４】本発明の肘掛台をパチンコ台のテーブル部に固定する方法を示した図である。
【図１５】肘掛台を取付ける際に、まず、テーブル部に固定した取付け部材と肘掛台との位置関係を示した平面図である。
【図１６】（ａ）ないし（ｄ）は、図１５に続く、工程を示した図である。
【図１７】肘掛台が取付け部材に対して左右方向に摺動し得ることを示した平面図である。
【発明を実施するための形態】
【００１９】
以下、添付図面を参照して、本発明を実施するための形態（以下、実施形態）について詳細に説明する。なお、実施形態の説明の全体を通して同じ要素には同じ番号を付している。また、実施形態及び図中において、「上」、「下」、「左」、「右」は、それぞれ、遊技者から遊技機を観た時の方向を示す。また、「前」、「後」は、それぞれ、遊技者から遊技機を観たときの「手前側」、「奥側」を示す。
（実施形態１）
図１は、本発明の肘掛台をたとえばパチンコ台（遊技機）に取り付け、肘掛台に肘を置いたままでパチンコ台を操作している状態を示す図である。
【００２０】
図１に示すように、パチンコ台１は、テーブル部２に載置され、該テーブル部２の近傍に玉撃ち出し用のハンドル１Ａを備えている。テーブル部２は、パチンコ台１の前面に突出され、この突出部に肘掛台１０が取り付けられるようになっている。
【００２１】
肘掛台１０は、大略、テーブル部２に固定される取付け部材２０と、取付け部材２０に係合されテーブル部２に載置される基部３０と、基部３０に支持され前方に延在するアーム部４０と、アーム部４０の前方に設けられたグリップ部５０に支持され遊技者の肘が置かれる肘掛部６０と、を備えて構成されている。
【００２２】
また、後に詳述するが、アーム部４０は基部３０に対して左右方向に一定の角度範囲で揺動可能に支持されるようになっている（図７参照）。また、肘掛部６０は、前記アーム部４０（グリップ部５０）に対して上下方向（図中α方向）に段階的に移動可能に支持され、アーム部４０（グリップ部５０）に対して前後方向（図中β方向）に摺動可能に支持されるようになっている。
【００２３】
以下、取付け部材２０、基部３０、アーム部４０、グリップ部５０、および肘掛部６０を順次説明する。
【００２４】
図２（ａ）、（ｂ）、（ｃ）は、取付け部材２０の構成を示す図で、（ａ）は右側面図、（ｂ）は正面図、（ｃ）は（ｂ）のＢ−Ｂ線における断面図である。
【００２５】
取付け部材２０は、図２（ｂ）に示すように、左右に延在するほぼ矩形の枠体からなり、上側面部２０Ｕ、後側面部２０Ｂ、左側面部２０Ｌ、右側面部２０Ｒ、前側面部２０Ｆを有し、前側面部２０Ｆの一部と下側面部（図示せず）に相当する部分が開口（開放）された形状をなしている。
【００２６】
取付け部材２０の後側面部２０Ｂには、取付け部材２０の延在方向（左右方向）に沿ってたとえば３個の螺子挿入孔２２が並設されている。これらの螺子挿入孔２２は取付け部材２０をテーブル部２（図１参照）に螺子（図１４にて符号７０で示す）を介して固定するための孔となっている。
【００２７】
取付け部材２０の前側面部２０Ｆは、上側面部２０Ｕの前方端から下側面部（図示せず）に相当する部分の前方端へ至る距離の約半分にまで及んで延在されて形成され、このように形成される前側面部２０Ｆは、その中央部において矩形の切り欠き部２３を有している。ここで、後述の便宜上、切り欠き部２３の幅をＷ１とする。切り欠き部２３は、後述の肘掛台１０の係合爪（図５にて符号３２で示す）を該切り欠き部２３を通して取付け部材２０内の係合溝（図２（ｃ）にて符号２５で示す）に挿入し易くするために設けられている。また、前側面部２０Ｆは、取付け部材２０の前方から螺子（図１４にて符号７０で示す）を螺子挿入孔２２に挿入させ易くするため、正面視において、各螺子挿入孔２２と重なる部分およびその周辺において円弧状の切り欠き部２４が形成されている。
【００２８】
このように構成される取付け部材は、図２（ｃ）に示すように、前方に形成される開口Ｐを通じて内部（前側面部の後側）に広い空間を有する係合溝２５が形成されるようになっている。係合溝２５は、その底部が上側面部２０Ｕによって形成され下方に開放されるようになっている。そして、係合溝２５には、後述するように、肘掛台１０の係合爪（図５にて符号３２で示す）が係合するようになっている。
【００２９】
また、取付け部材２０のたとえば右側面部２０Ｒは、図２（ｂ）に示すように、着脱自在の蓋部２６が取り付けられて形成されている。この蓋部２６は、その上下方向に延在する突起部（図３にて、符号２６Ｔで示す）が取付け部材２０の上下方向に延在する嵌合溝（図３にて、符号２０Ｔで示す）に嵌合されるようになっており、該蓋部２６を上方向へ摺動させることによって取付け部材２０の右側面部２０Ｒを開口（開放）できるようになっている。
【００３０】
図３は、取付け部材２０を下側から観た図である。図３において、取付け部材２０の右側面部２０Ｒは蓋部２６によって閉塞されている。これにより、取付け部材２０は、左側面部２０Ｌを一端とし、蓋部２６を他端とする係合溝２５を有することになる。ここで、後述の便宜上、係合溝２５の長さをＷ２する。また、図３では、蓋部２６に設けられた突起部２６Ｔは、前後左右面の断面視において、たとえばＴ字状となっており、この突起部２６Ｔが嵌合する取付け部材２０の嵌合溝２０ＴもＴ字状となっている。これにより、蓋部２６は、図２（ｂ）に示したように、上方向に摺動させる以外には取付け部材２０から離脱できないようになっている。図４は、図２（ａ）と対応する図であり、蓋部２６を取付け部材２０に対して上方へ摺動させ、取付け部材２０の右側面部２０Ｒを開口（開放）させていることを示している。
【００３１】
なお、上述した取付け部材２０に対する肘掛台１０の取付け方法は、図１４〜図１６を用いて後に詳述する。
【００３２】
図５は、肘掛台１０であって、取付け部材２０（図１参照）との係合がなされていない状態を示した側面図である。図５において、肘掛台１０の基部３０の一端（図中、後方側）には係合爪３２が起立されて形成され、この係合爪３２は、１点鎖線丸の拡大図で示すように、取付け部材２０の係合溝２５に係合されるようになっている。
【００３３】
図６は、図５に示した肘掛台１０の平面図を示している。図６において、肘掛台１０の基部３０は、その一端において左右方向に延在する直線状の辺３３を有し、係合爪３２は、該辺３３に沿ってたとえば２個設けられている。一方の係合爪３２Ａは、該辺３３の左側端から中央に延在して形成され、他方の係合爪３２Ｂは、該辺３３の右側端から中央に延在して形成されている。ここで、後述の便宜上、該辺の長さをＷ４とし、各係合爪の長さをＷ３とする。
【００３４】
また、図６に示すように、肘掛台１０のアーム部４０は、基部３０の他端側（図中、前方）において、支軸４２を中心に揺動可能に取付けられている。すなわち、アーム部４０は、基部３０のうち前記辺３３とほぼ平行な段差面を側壁面３４とする凹陥面３５に取り付けられ、アーム部４０の一端（図中、後方側）には、支軸４２に近接した角部４３を有し、この角部４３からアーム部４０の両側へそれぞれ至る傾斜側面４４Ａ、４４Ｂを有するようになっている。これにより、アーム部４０が、支軸４２を中心に左側に揺動する場合に、一方の傾斜側面４４Ａが基部３０の側壁面３４に当接してθ１だけ揺動し、右側に揺動する場合に、他方の傾斜側面４４Ｂが基部３０の側壁面３４に当接してθ１だけ揺動するようになっている。
【００３５】
図７は、アーム部４０およびこのアーム部４０に取り付けられた肘掛部６０が基部３０に対して左右にそれぞれθ１の範囲で揺動できることを示している。このようにアーム部４０を基部３０に対して揺動させることで、肘掛部６０の左右方向の位置が調整可能であるため、遊技者の好みの位置に合わせ、肘掛部６０を左右方向に位置調整でき、遊技者にとって使い勝手のよい肘掛台を得ることができる。
【００３６】
図５に戻り、アーム部４０の前方にはグリップ部５０が設けられ、このグリップ部５０には肘掛部６０が支持されるようになっている。
【００３７】
図８（ａ）は、図５に対応した図で、グリップ部５０の側面部を取り除いた図となっている。図８（ａ）に示すように、肘掛部６０は、その下部に支持体６１を有し、この支持体６１がグリップ部５０内に形成された空間部５１に挿入されることによって、グリップ部５０に支持されるようになっている。
【００３８】
肘掛部６０の支持体６１は、グリップ部５０の空間部５１に緩やかに挿入され、支持体６１に形成された爪部６２が空間部５１の内壁面に上下方向に並設された複数の溝部５２の１つに係合されるようになっている。図８（ｂ）は図８（ａ）の図中Ｈ部を拡大して示した図であって、溝部５２に凹部５２Ｂを設け、爪部６２に凸部６２Ａを設けた場合の例である。
図８（ｂ）に示すように、各溝部５２は、爪部６２と当接する下面５２Ａに凹部５２Ｂが形成されている。爪部６２の先端には複数の溝部５２の凹部５２Ｂに係止される凸部６２Ａが形成されている。爪部６２の凸部６２Ａが溝部５２の凹部５２Ｂと嵌合することにより、爪部６２が溝部５２に係止される。これにより、支持体６１の爪部６２と各溝部５２は、肘掛部６０を上下方向にグリップ部５０内に段階的に係止させることができる機構を構成し、肘掛部６０をグリップ部５０に対して所定の高さに設定かつ保持させることができるようになっている。凹部５２Ｂと凸部６２Ａによって係止する機構が形成されている。尚、係止する機構を凹部５２Ｂと凸部６２Ａを設けることなく構成することもできる。
【００３９】
図９〜図１１は、グリップ部５０に対して肘掛部６０の高さを調整する方法の一例を示した図である。まず、図９は、肘掛部６０はグリップ部５０に対してたとえば中位の位置にあり、肘掛部６０の支持体６１の爪部６２は、グリップ部５０内に形成された複数の溝部５２のうち中央の溝部５２に係止されている。次に、図１０に示すように、肘掛部６０を図中Ａ方向へ回動させることにより、支持体６１に形成された爪部６２をグリップ部５０内の溝部５２から離脱させる。そして、そのままの状態で、肘掛部６０をたとえば下方向へ移動させる。そして、図１１に示すように、肘掛部６０をグリップ部５０に対してたとえば最下位の位置に配置させた際に、肘掛部６０をＡ方向と反対の方向（図中Ｃ方向）へ回動させ、支持体６１の爪部６２をグリップ部５０内に形成された複数の溝部５２のうち最下位の溝部５２に係止させるようにする。図９〜図１１では、肘掛部６０をグリップ部５０に対して最下位の位置に設定したものであるが、これに限定されることがないのはもちろんである。
【００４０】
図１２（ａ）は、肘掛台１０を下方から観た図である。図１２（ａ）では、グリップ部５０に挿入される肘掛部６０の支持体６１（図８参照）は、該肘掛部６０に対して前後方向に摺動し得るように取り付けられた板状のスライダー６５を介して取り付けられていることを示している。
【００４１】
図１２（ｂ）は、図１２（ａ）のＫ−Ｋ線における断面図であり、スライダー６５は、その左右の側面の上部に突起６５Ａが形成され、この突起６５ａが肘掛部６０に形成された案内溝６５Ｂに嵌合されることによって、該肘掛部６０に対して前後方向に摺動し得るようになっている。
【００４２】
図１２（ａ）に示すように、スライダー６５の長さはＬ１となっており、案内溝６５Ｂの長さはＬ２（＞Ｌ１）となっている。これにより、肘掛部６０は、アーム部４０（グリップ部５０）に対して（Ｌ２−Ｌ１）の範囲で摺動できるようになっている。
【００４３】
図１３は、肘掛部６０がアーム部４０に対して前後方向に（Ｌ２−Ｌ１）の範囲で摺動できることを示している。これにより、肘掛部６０を遊技者の好みの位置に合わせることができ、遊技者の使い勝手をより高めることができるようになる。
【００４４】
なお、図１２（ｂ）に示すように、肘掛部６０の表面には、摩擦板６６が貼付されている。肘掛部６０に載置した肘の滑りを回避するためである。
【００４５】
図１４は、上述の肘掛台１０をパチンコ台１のテーブル部２に固定する方法の一例を示した図である。図１４において、まず、取付け部材２０をテーブル部２に載置させるとともに、螺子７０を取付け部材２０の螺子挿入孔２２（図２参照）を通してテーブル部２の側壁面に螺入させる。これにより、取付け部材２０はテーブル部２に固定されるようになる。
【００４６】
そして、肘掛台１０の基部の一端（図中、後方側）に起立させて設けられた係合爪３２を取付け部材２０の係合溝２５（図２参照）に係合させるようにする。
【００４７】
この場合の係合は、まず、図１５に示すように、肘掛台１０を、その基部３０の左側に形成された一方の係合爪３２Ａが取付け部材２０の前側面部２０Ｆの中央に形成した切り欠き部２３に対向するように配置させる。これにより、基部３０の右側に形成された他方の係合爪３２Ｂが取付け部材２０の右側面部２０Ｒに配置される蓋部２６に対向するようになる。
【００４８】
そして、図１６（ａ）に示すように、蓋部２６を取付け部材２０に対して上方へ摺動させることにより、取付け部材２０の右側面部２０Ｒに開口を形成する。次に、肘掛台１０を、そのまま後方へ押し込むことにより、基部３０の左側に形成された係合爪３２Ａは切り欠き部２３に差し込まれた後に、係合溝２５（図２参照）に挿入され、基部３０の左側に形成された係合爪３２Ｂは取付け部材２０の右側面部２０Ｒ側の開口に隣接して配置されるようになる。
【００４９】
この場合、係合爪３２Ａの長さＷ３を、取付け部材２０の切り欠き部２３の幅Ｗ１よりも若干小さく設定しておくことにより、係合爪３２Ａは、容易に切り欠き部２３差し込まれるようになる。
【００５０】
次に、図１６（ｂ）に示すように、肘掛台１０を左側へ移動させることにより、係合爪３２Ａ、３２Ｂは、それぞれ、取付け部材２０の係合溝２５に係合された状態で左側へ摺動するようになる。図１６（ｃ）は、図１６（ｂ）のＮ−Ｎ線における断面図で、肘掛台１０の基部３０に起立された係合爪３２Ａ、３２Ｂが取付け部材２０の係合溝２５に係合されている状態を示したもので、係合爪３２Ａ、３２Ｂは、取付け部材２０の後側面部２０Ｂと前側面部２０Ｆとによって前後方向の移動が規制され、左方向に摺動がなされるようになる。このようにした場合、たとえば、複数の係合爪３２（３２Ａ、３２Ｂ）の全てを係合溝２５の左右方向の端部から挿入する場合の基部３０の移動量に比べ、基部３０の移動量を格段に短くすることができる。これにより、肘掛台１０の着脱作業が楽になるとともに、例えば、取付け部材２０から肘掛台１０を取り外す際に、取付け部材２０に隣接する他の機器等と基部３０との干渉を防ぐこともできる効果を奏する。
【００５１】
そして、図１６（ｂ）に戻り、蓋部２６を下側に摺動させることによって、取付け部材２０の右側面部２６Ｒを閉塞させるようにする。この場合、取付け部材２０を下方から観た図１６（ｄ）に示すように、蓋部２６によって右側面部２６Ｒが閉塞された取付け部材２０の係合溝２５の長さＷ２は、肘掛台１０の基部３０の幅Ｗ４より大きく形成されている。このため、図１７に示すように、取付け部材２０に係合された肘掛台１０は、取付け部材２０に対して（Ｗ２−Ｗ４）だけ左右方向に移動可能な可動域を有するように構成される。このようにした場合、パチンコ台１の機種によって異なるハンドル１Ａの左右方向の位置に合わせ、アーム部４０の基部３０の左右方向の位置を可動域の範囲において調整できる効果を奏する。
【００５２】
このように構成された肘掛台１０は、左右方向の一側から他側に係止爪３２を摺動させて係合溝２５に挿入することで、取付け部材２０にアーム部４０を取付けることができる。このため、従来のように、上方に傾斜させたアーム部４０によって取付け部分が隠れたり見えづらくなったりするなどの不具合がなくなる。よって作業者は、係合溝２５の位置と係合爪３２の位置を容易に確認しながら位置合わせでき、取付け部材２０にアーム部４０を正確に取付けることができる。また、同様に、取付け部材２０からアーム部４０を外す際においても、アーム部４０の取付け部分（係合溝２５、係合爪３２）が見易いので、取付け部材２０からアーム部４０を正確かつ容易に取り外すことができる。
【００５３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００５４】
１              パチンコ台
１Ａ            ハンドル
２              テーブル部
１０            肘掛台
２０            取付け部材
２０Ｕ          上側面部
２０Ｂ          後側面部
２０Ｌ          左側面部
２０Ｒ          右側面部
２０Ｆ          前側面部
２０Ｔ          嵌合溝
２２            螺子挿入孔
２３            切り欠き部
２４            切り欠き部
２５            係合溝
２６            蓋部
２６Ｔ          突起部
３０            基部
３２            係合爪
３３            辺
３４            側壁面
３５            凹陥面
４０            アーム部
４２            支軸
４３            角部
４４Ａ、４４Ｂ  傾斜側面
５０            グリップ部
５１            空間部
５２            溝部
６０            肘掛部
６１            支持体
６２            爪部
６５            スライダー
６５Ａ          突起
６５Ｂ          案内溝
６６            摩擦板
７０            螺子
【図１】
2015070870.tif 000003
【図２】
2015070870.tif 000004
【図３】
2015070870.tif 000005
【図４】
2015070870.tif 000006
【図５】
2015070870.tif 000007
【図６】
2015070870.tif 000008
【図７】
2015070870.tif 000009
【図８】
2015070870.tif 000010
【図９】
2015070870.tif 000011
【図１０】
2015070870.tif 000012
【図１１】
2015070870.tif 000013
【図１２】
2015070870.tif 000014
【図１３】
2015070870.tif 000015
【図１４】
2015070870.tif 000016
【図１５】
2015070870.tif 000017
【図１６】
2015070870.tif 000018
【図１７】
2015070870.tif 000019